(57)【特許請求の範囲】
【請求項１】
庫内に配置された陳列棚の前縁部にタッグモールドを備えたショーケースにおいて、
前記タッグモールドは、
前記陳列棚の棚板の上面より上方に突出して前記棚板の上面に係合自在であると共に、前記棚板の前縁部に商品ストッパを設けたときには当該商品ストッパに係合自在な上端係合部と、
この上端係合部が前記棚板に係合するときに前記棚板の下面に係合する第一部分、及び前記上端係合部が前記商品ストッパに係合するときに前記棚板の下面に係合する第二部分を有する下端係合部と、
この下端係合部と前記上端係合部とを一体的に連結する連結部とを備えたことを特徴とするショーケース。
【請求項２】
前記タッグモールドは下端係合部を棚板の下面に係合し、当該下端係合部を基準に回動させて上端係合部を棚板の上面に係合させることを特徴とする請求項１記載のショーケース。
【請求項３】
前記タッグモールドの下端係合部にはグレア防止板及び／又は光反射板を保持する保持部が一体的に形成されていることを特徴とする請求項１または２記載のショーケース。
【発明の詳細な説明】
【０００１】
【発明の属する技術分野】
本発明は、陳列棚の前縁部に取り付けられるタッグモールドの構造を改良したショーケースに関する。
【０００２】
【従来の技術】
一般に、庫内に配置された陳列棚の前縁部に例えばプライスカード等を取り付けるタッグモールドを備えたショーケースが知られている。
【０００３】
この種のものでは、陳列棚の前縁部とタッグモールドとの間に陳列棚の棚板の上面より上方に突出する商品ストッパを設ける場合があるが、いずれの場合であってもタッグモールドはビスを用いて陳列棚に固定されている。
【０００４】
また、従来では、棚照明用のグレア防止板或いは光反射板等を陳列棚の棚板の下部に設けているが、いずれもビスを用いて固定されている。
【０００５】
【発明が解決しようとする課題】
しかしながら、タッグモールド、グレア防止板或いは光反射板等を一々ビスで固定する作業は困難であるという問題がある。
【０００６】
そこで、本発明の目的は、上述した従来の技術が有する課題を解消し、タッグモールド、グレア防止板或いは光反射板等をビス無しで陳列棚に簡単に固定することができるショーケースを提供することにある。
【０００７】
【課題を解決するための手段】
請求項１記載の発明は、庫内に配置された陳列棚の前縁部にタッグモールドを備えたショーケースにおいて、前記タッグモールドは、前記陳列棚の棚板の上面より上方に突出して前記棚板の上面に係合自在であると共に、前記棚板の前縁部に商品ストッパを設けたときには当該商品ストッパに係合自在な上端係合部と、この上端係合部が前記棚板に係合するときに前記棚板の下面に係合する第一部分、及び前記上端係合部が前記商品ストッパに係合するときに前記棚板の下面に係合する第二部分を有する下端係合部と、この下端係合部と前記上端係合部とを一体的に連結する連結部とを備えたものである。
【０００８】
請求項２記載の発明は、請求項１記載のものにおいて、前記タッグモールドは下端係合部を棚板の下面に係合し、当該下端係合部を基準に回動させて上端係合部を棚板の上面に係合させるものである。
【０００９】
請求項３記載の発明は、請求項１または２記載のものにおいて、前記タッグモールドの下端係合部にはグレア防止板及び／又は光反射板を保持する保持部が一体的に形成されているものである。
【００１０】
【発明の実施の形態】
以下、本発明の一実施形態を図面を参照して説明する。
【００１１】
図１はショーケースの外観斜視図、図２はその断面図を示している。符号１はショーケースを示している。このショーケース１は断熱箱体２とこの断熱箱体２との間に間隔をあけて設けられた仕切体８とを備え、この仕切体８の内部には商品陳列室３が設けられている。この商品陳列室３には複数段（この例では４段である）に亘って商品陳列用の陳列棚４０が設けられ、この陳列棚４０の上には随時商品が陳列されている。符号９はミラーである。
前記の仕切体８と断熱箱体２との間には冷気通路５が形成され、この冷気通路５は外層冷気通路５ａと内層冷気通路５ｂとで２層に亘って形成されている。そして、下部に位置する冷気通路５には、冷却器用送風機６が収納され、内層冷気通路５ｂには冷却器７が収納されている。
【００１２】
図中で実線矢印は冷却風の流れを示している。ショーケース１の前面下部の吸込口５１から冷気通路５に吸い込まれる空気は冷却器用送風機６を経て内層冷気通路５ｂに流入し、冷却器７を経て冷却された後、ショーケース１の天部に至り、吹出口５５ｂから吹き出される。この吹出口５５ｂから吹き出される冷気は、商品陳列室３を冷却すると共に、当該商品陳列室３の前面部にエアーカーテンを形成し、再び、吸込口５１から冷気通路５に吸い込まれる。また、吸込口５１から冷気通路５に吸い込まれる空気は冷却器用送風機６を経て外層冷気通路５ａにも流入し、ショーケース１の天部に至り、吹出口５５ａから吹き出される。この吹出口５５ａから吹き出される冷気は、専ら、当該商品陳列室３の前面部にエアーカーテンを形成し、吸込口５１から冷気通路５に吸い込まれる。
【００１３】
この実施形態では、陳列棚４０の前縁部にタッグモールド５０が装着されている。このタッグモールド５０は樹脂製であって、図３に示すように、一体成形されている。このタッグモールド５０は上端係合部５１と下端係合部５３とこれらを連結する連結部５５とを備えている。
【００１４】
上端係合部５１は、図３に示すように、陳列棚４０の棚板４１の上面４１ａより上方に突出して、棚板４１の上面４１ａに係合自在であると共に、図４及び図５に示すように、棚板４１の前縁部４１ｂに商品ストッパ４３を設けたときには、当該商品ストッパ４３に係合自在に形成されている。
【００１５】
また、下端係合部５３は、図３に示すように、上端係合部５１が棚板４１に係合するときに棚板４１の下面（折り曲げ部）４１ｃに係合する溝部５２ａを有する第一部分５３ａと、図４及び図５に示すように、上端係合部５１が商品ストッパ４３に係合するときに棚板４１の下面（折り曲げ部）４１ｃに係合する溝部５２ｂを有する第二部分５３ｂとを備えている。
【００１６】
この下端係合部５３と上端係合部５１とは連結部５５によって一体的に連結されており、この連結部５５の外面５５ａにはプライスカード（図示せず）が取り付けられるように構成されている。
【００１７】
図３は日配食品を陳列する場合の一例を示し、図４は魚肉類等を陳列する場合の一例を示し、図５は野菜等を陳列する場合の一例を示す。それぞれ商品ストッパ４３無し、商品ストッパ４３有りでその高さが低い、商品ストッパ４３有りでその高さが高い、という状態を示している。
【００１８】
陳列棚４０の棚板４１の下部には、図６乃至図８に示すように、照明灯ホルダ６１を介して庫内照明灯６３が取り付けられている。
【００１９】
この実施形態では、図６に示すように、タッグモールド５０の下端係合部５３に、グレア防止板６５を保持する保持部５７が一体的に形成されている。この保持部５７は第一部分５３ａの下面に形成された保持溝５９を備え、この保持溝５９にグレア防止板６５の一端６５ａを挟み込んむことにより、当該グレア防止板６５を保持するように構成されている。
【００２０】
この保持溝５９には、図７に示すように、光反射板６７を保持することが可能であるし、或いは図８に示すように、グレア防止板６５、及び光反射板６７の両方を保持することが可能である。
【００２１】
なお、グレア防止板６５は庫内照明灯６３の光が直接目に入らないように当該光を遮断する板であり、光反射板６７は庫内照明灯６３の光をより多く庫内に導くために当該光を反射させる板である。
【００２２】
このタッグモールド５０を陳列棚４０の棚板４１の前縁部４１ｂに取り付けるには、図３を参照して、まず下端係合部５３の第一部分５３ａを棚板４１の下面４１ｃに係合し、当該下端係合部５３を基準に矢印Ａの方向に回動させて上端係合部５１を棚板４１の上面４１ａに係合させる。商品ストッパ４３を設ける場合には、図４を参照して、まず下端係合部５３の第二部分５３ｂを棚板４１の下面４１ｃに係合し、当該下端係合部５３を基準に矢印Ａの方向に回動させて上端係合部５１を棚板４１の上面４１ａに係合させる。
【００２３】
この実施形態では、タッグモールド５０の下端係合部５３を棚板４１の下面４１ｃに係合し、当該下端係合部５３を基準に回動させて、上端係合部５１を棚板４１の上面４１ａに係合させるので、このタッグモールド５０はビス無しで陳列棚４０の前縁部４１ｂにしっかりと固定される。
【００２４】
この実施形態では、タッグモールド５０が樹脂製であって上端係合部５１と下端係合部５３とこれらを連結する連結部５５とを備え、且つ保持部５７を一体的に備えるので、タッグモールド５０のみならずグレア防止板６５及び光反射板６７もビス無しで陳列棚４０に固定することができる。
【００２５】
以上、一実施形態に基づいて本発明を説明したが、本発明はこれに限定されるものでないことは明らかである。例えば、下端係合部５３の第一部分５３ａ、第二部分５３ｂの形状はこれに限定されない。
【００２６】
【発明の効果】
以上の説明から明らかなように、本発明では、タッグモールドの下端係合部を棚板の下面に係合し、上端係合部を棚板の上面に係合させるので、このタッグモールドをビス無しで陳列棚の前縁部にしっかりと固定することができる。
【００２７】
また、本発明では、タッグモールドが樹脂製であって上端係合部と下端係合部とこれらを連結する連結部とを備え、且つ保持部を一体的に備えるので、タッグモールドのみならずグレア防止板及び光反射板もビス無しで陳列棚にしっかりと固定することができる。
【図面の簡単な説明】
【図１】本発明によるショーケースの一実施形態を示す斜視図である。
【図２】同じく断面図である。
【図３】タッグモールドを装着した図である。
【図４】商品ストッパ及びタッグモールドを装着した図である。
【図５】図４の商品ストッパの高さを高くした図である。
【図６】グレア防止板を取り付けた図である。
【図７】光反射板を取り付けた図である。
【図８】グレア防止板及び光反射板を取り付けた図である。
【符号の説明】
１  ショーケース
４０  陳列棚
４１  棚板
４１ａ  上面
４１ｂ  前縁部
４１ｃ  下面
５０  タッグモールド
５１  上端係合部
５３  下端係合部
５３ａ  第一部分
５３ｂ  第二部分
５５  連結部
５７  保持部
６３  庫内照明灯
６５  グレア防止板
６７  光反射板
【図１】
0003738135.tif 000002
【図２】
0003738135.tif 000003
【図３】
0003738135.tif 000004
【図４】
0003738135.tif 000005
【図５】
0003738135.tif 000006
【図６】
0003738135.tif 000007
【図７】
0003738135.tif 000008
【図８】
0003738135.tif 000009